(57)【要約】【課題】セットトップボックスによる機能拡張するためのカラオケ装置のメーカ名及び機種名の確認と、セットトップボックスへの登録を自動化するカラオケシステム等を提供する。【解決手段】セットトップボックス１０の制御部１１２が、リモコン端末１５のカメラ１５６によって撮像されたカラオケ装置２０の特徴部分の画像データを取得し、ＨＤＤ１１６が記憶する機種データ（識別用画像）を参照して、取得した画像データと一致する機種データを特定し、その特定した機種データと関連付けられたカラオケ装置の機種の何れかをカラオケ装置２０の機種として決定する。さらに、制御部１１２が、ＨＤＤ１１６へのカラオケ装置２０の機種の記憶・読み出し制御を実行する。つまり、画像認識によってカラオケ装置２０のメーカ名および機種名を特定し、その特定したメーカ名および機種名をセットトップボックス１０に登録する。【選択図】図４
2007178604.tif 000002
【特許請求の範囲】
【請求項１】
識別子データに基づいて楽曲のカラオケ演奏可能なカラオケ装置と、前記カラオケ装置へ識別子データを送信し、前記カラオケ装置から送信されたカラオケ演奏の音信号を受信するセットトップボックスと、を備えるカラオケシステムであって、
前記カラオケ装置は、
複数種のカラオケ装置中の何れか一つの機種であり、
一方、前記セットトップボックスは、
前記カラオケ装置の機種を特定可能な部位を撮像した撮像画像を取得可能な撮像画像取得装置と、
前記複数種のカラオケ装置の機種と前記複数種のカラオケ装置それぞれを特定可能な部位を予め撮像した識別用画像とを関連付けて記憶する画像記憶手段と、
前記画像記憶手段が記憶する前記識別用画像を参照して、前記撮像画像取得手段によって取得された前記撮像画像と一致する前記識別用画像を特定し、その特定した識別用画像と関連付けられた前記複数種のカラオケ装置の機種の何れかを前記カラオケ装置の機種として決定する機種決定手段と、
前記機種決定手段によって決定された前記カラオケ装置の機種を記憶する機種記憶手段と、
前記機種記憶手段への前記カラオケ装置の機種の記憶・読み出し制御を実行する記憶・読み出し制御手段と、
を備えることを特徴とするカラオケシステム。
【請求項２】
請求項１に記載のカラオケシステムにおいて、
前記撮像画像取得手段は、前記特定可能部位としての前記カラオケ装置におけるメーカ名または機種を特定することが可能な構成を撮像した撮像画像を取得可能であることを特徴とするカラオケシステム。
【請求項３】
請求項１または請求項２に記載のカラオケシステムにおいて、
前記撮像画像取得手段は、前記特定可能部位としての前記カラオケ装置が備える筺体の正面パネルの一部を撮像した撮像画像を取得可能であることを特徴とするカラオケシステム。
【請求項４】
請求項１または請求項２に記載のカラオケシステムにおいて、
前記撮像画像取得手段は、前記特定可能部位としての前記カラオケ装置が備える筺体の背面パネルの一部を撮像した撮像画像を取得可能であることを特徴とするカラオケシステム。
【請求項５】
請求項１または請求項２に記載のカラオケシステムにおいて、
前記カラオケ装置は、各種情報を表示可能な表示部を備え、
前記撮像画像取得手段は、前記特定可能部位としての前記カラオケ装置が備える前記表示部に表示された表示画像の一部を撮像した撮像画像を取得可能であることを特徴とするカラオケシステム。
【請求項６】
請求項１〜請求項５の何れかに記載のカラオケシステムにおいて、
前記カラオケ装置の機種を特定可能な部位を撮像画像として撮像可能な撮像手段を備え、
前記セットトップボックスの前記撮像画像取得装置は、前記撮像手段によって撮像された前記撮像画像を取得可能であること
を特徴とするカラオケシステム。
【請求項７】
請求項１〜請求項５の何れかに記載のカラオケシステムにおいて、
前記セットトップボックスとの間でデータ通信可能であり、前記カラオケ装置に演奏させるべき演奏楽曲をユーザに選曲させ、前記選曲された演奏楽曲を前記セットトップボックスを介して前記カラオケ装置に通知する選曲通知機能を有するリモコン端末を備え、
前記リモコン端末は、前記カラオケ装置の機種を特定可能な部位を撮像画像として撮像可能な撮像手段を備え、
前記セットトップボックスの前記撮像画像取得装置は、前記リモコン端末の前記撮像手段によって撮像された前記撮像画像を取得可能であること
を特徴とするカラオケシステム。
【請求項８】
請求項１〜請求項５の何れかに記載のカラオケシステムにおいて、
前記セットトップボックスとの間で通信網を介してデータ通信可能な通信端末を備え、
前記通信端末は、前記カラオケ装置の機種を特定可能な部位を撮像画像として撮像可能な撮像手段を備え、
前記セットトップボックスの前記撮像画像取得装置は、前記通信端末の前記撮像手段によって撮像された前記撮像画像を、前記通信網を介して取得可能であること
を特徴とするカラオケシステム。
【請求項９】
請求項１〜請求項８の何れかに記載のカラオケシステムにおいて、
各種情報を報知可能な報知手段と、
前記機種決定手段によって前記カラオケ装置の機種が決定されなかった場合にはその旨を前記報知手段に報知させる報知制御手段と、
を備えることを特徴とするカラオケシステム。
【請求項１０】
識別子データに基づいて楽曲のカラオケ演奏可能なカラオケ装置と、前記カラオケ装置へ識別子データを送信し、前記カラオケ装置から送信されたカラオケ演奏の音信号を受信するセットトップボックスと、前記セットトップボックスとの間で通信網を介してデータ通信可能なサーバと、を備えるカラオケシステムであって、
前記カラオケ装置は、
複数種のカラオケ装置中の何れか一つの機種であり、
一方、前記サーバは、
前記カラオケ装置の機種を特定可能な部位を撮像した撮像画像を取得可能な撮像画像取得装置と、
前記複数種のカラオケ装置の機種と前記複数種のカラオケ装置それぞれの前記特定可能部位を予め撮像した識別用画像とを関連付けて記憶する画像記憶手段と、
前記画像記憶手段が記憶する前記識別用画像を参照して、前記撮像画像取得手段によって取得された前記撮像画像と一致する前記識別用画像を特定し、その特定した識別用画像と関連付けられた前記複数種のカラオケ装置の機種の何れかを前記カラオケ装置の機種として決定する機種決定手段と、を備え、
前記セットトップボックスは、
前記サーバの前記機種決定手段によって決定された前記カラオケ装置の機種を示す機種情報を取得する機種情報取得手段と、
前記機種情報取得手段によって取得された前記機種情報に基づいて前記カラオケ装置の機種を記憶する機種記憶手段と、
前記機種記憶手段への前記カラオケ装置の機種の記憶・読み出し制御を実行する記憶・読み出し制御手段と、
を備えることを特徴とするカラオケシステム。
【請求項１１】
外部から受信した楽曲の識別子データに基づいてカラオケ演奏可能なカラオケ装置と、
前記カラオケ装置へ前記識別子データを送信し、前記カラオケ装置から出力されたカラオケ演奏の音信号が入力されるセットトップボックスと、
を備えるカラオケシステムであって、
前記カラオケ装置は、
前記セットトップボックスから前記識別子データを受信するカラオケ装置側受信手段と、
前記カラオケ装置側受信手段によって受信された前記識別子データ中のカラオケ演奏可能な識別子データに基づいてカラオケ演奏を開始する開始手段と、
前記開始手段によって開始されたカラオケ演奏の音信号をセットトップボックスへ出力する音信号出力手段と、
前記開始手段によって開始された映像信号をセットトップボックスへ出力する映像信号出力手段と、
を備える複数種のカラオケ装置中の何れか１つの機種であり、
前記セットトップボックスは、
楽曲番号データに対応した識別子データをカラオケ装置へ送信するセットトップボックス側送信手段と、
前記音信号出力手段から出力されたカラオケ演奏の音信号が入力されるセットトップボックス側音信号入力手段と、
前記映像信号出力手段から出力された映像信号が入力されるセットトップボックス側映像信号入力手段と、
カラオケ曲の楽曲データを記憶する楽曲データ記憶手段と、
前記楽曲データ記憶手段が記憶する前記楽曲データからカラオケ演奏の音信号を生成し、生成された音信号を出力するセットトップボックス側音信号出力手段と、
前記楽曲データ記憶手段が記憶する前記楽曲データから映像信号を生成し、生成された映像信号を出力するセットトップボックス側映像信号出力手段と、
前記セットトップボックス側音信号出力手段から出力された音信号もしくはセットトップボックス側音信号入力手段によって入力された音信号の何れか一方を選択して出力する音信号選択手段と、
前記セットトップボックス側映像信号出力手段から出力された映像信号もしくはセットトップボックス側映像信号入力手段によって入力された映像信号の何れか一方を選択して出力する映像信号選択手段と、
を備えることを特徴とするカラオケシステム。
【請求項１２】
請求項１１に記載のカラオケシステムに用いられるセットトップボックスであって、請求項１１においてセットトップボックスに関して記載した構成を備えることを特徴とするセットトップボックス。
【発明の詳細な説明】
【技術分野】
【０００１】
本発明はカラオケ装置を機能拡張する技術に関し、特に既存のカラオケ装置を最新のカラオケ装置と同等に機能拡張する技術に関する。
【背景技術】
【０００２】
近年のカラオケ装置は、例えば利用者が自己の好みに合った音響効果を設定できる高機能化が進んでいる。また、近年のカラオケ装置は、例えばデュエットでの歌唱採点やゲームの付加など多機能化が進んでいる（例えば、特許文献１参照）。
【０００３】
そして、利用者は、上述のような高機能化や多機能化された近年のカラオケ装置を好んで利用するものと推測される。
【特許文献１】特開２００４−２９４４８１号公報（第２，３頁）
【発明の開示】
【発明が解決しようとする課題】
【０００４】
しかし、カラオケボックスには、上述した高機能化や多機能化された近年のカラオケ装置（以下、最新のカラオケ装置と称する）ばかりでなく、最新のカラオケ装置以外のカラオケ装置（以下、既存のカラオケ装置と称する）が多数設置されている。
【０００５】
これらの既存のカラオケ装置は、最新のカラオケ装置に比べると高機能化や多機能化されていないので、最新のカラオケ装置に比べ利用頻度が低下していくと推測される。
利用頻度が低下しないようにするためには、既存のカラオケ装置を最新のカラオケ装置へ入れ替えればよい。しかし、カラオケ装置の入れ替えには、入れ替える手間とコストが掛かる。そのため、カラオケシステムの管理者としては、悩ましい問題になると推測される。
【０００６】
そこで、既存のカラオケ装置を最新のカラオケ装置と同等の高機能化や多機能化にする（以下、機能拡張と称する）ためのセットトップボックスを設けることが考えられる。具体的には、セットトップボックスが、機能拡張するための制御部や記憶装置を備え、ＡＤＳＬモデム、インターネットを経由して配信センタと通信できるように構成され、カラオケ装置へ接続される。そして、セットトップボックスがカラオケ装置へリモコン信号を送信してカラオケ装置を制御する。
【０００７】
すなわち、既存のカラオケ装置へ上述したセットトップボックスを付加することで、高機能化や多機能化された最新のカラオケ装置と同等に機能拡張することが考えられる。
しかし、セットトップボックスは、既存のカラオケ装置へリモコン信号を送信してカラオケ装置を制御するが、セットトップボックス側からカラオケ装置側へ送信されるリモコン信号コードの体系に対して、受信されるカラオケ装置側のリモコン信号コードの体系が同じとは限らない。すなわち、カラオケ装置の製造メーカや機種によってカラオケ装置側のリモコン信号コードの体系が相違していることが考えられる。
【０００８】
そのため、セットトップボックス側から入力情報例えば数字「１」に対応するリモコン信号コードがカラオケ装置側へ送信された場合、受信されるカラオケ装置側では数字「１」の入力情報であると認識するとは限らない。
【０００９】
したがって、セットトップボックスから送信されるリモコン信号コードを、カラオケ装置の製造メーカや機種に対応するリモコン信号コードに変換するコード変換手段をセットトップボックスが備えるようにすることが考えられる。
【００１０】
そのためには、セットトップボックスに接続可能なカラオケ装置のメーカ名及び機種名を予めセットトップボックスが認識しておく必要がある。つまり、カラオケ装置のメーカ名及び機種名をセットトップボックスに登録しなくてはならない。
【００１１】
カラオケ装置のメーカ名及び機種名をセットトップボックスに登録するためには、サービスマンがセットトップボックスに接続されているカラオケ装置のメーカ名及び機種名を目視で確認して、セットトップボックスへ登録することが考えられる。
【００１２】
しかし、セットトップボックスに接続されているカラオケ装置のメーカ名及び機種名の目視での確認と、セットトップボックスへの登録を人手で行なっていたのでは、カラオケ装置のメーカ名及び機種名を誤って登録する場合が考えられる。また、カラオケ装置のメーカ名及び機種名の目視での確認と、セットトップボックスへの登録は、サービスマンにとって手間の掛かる作業と考えられる。
【００１３】
本発明は、上記問題を解決するためになされたものであり、その目的とするところは、セットトップボックスによる機能拡張するためのカラオケ装置のメーカ名及び機種名の確認と、セットトップボックスへの登録を自動化するカラオケシステム等を提供することである。
【課題を解決するための手段】
【００１４】
上記課題を解決するためになされた請求項１に係るカラオケシステムは、「画像認識によってカラオケ装置のメーカ名および機種名を特定し、その特定したメーカ名および機種名をセットトップボックスに登録すること」を特徴とする。
【００１５】
具体的には、上述のカラオケシステムは、識別子データに基づいて楽曲のカラオケ演奏可能なカラオケ装置と、カラオケ装置へ識別子データを送信し、カラオケ装置から送信されたカラオケ演奏の音信号を受信するセットトップボックスと、を備える。
【００１６】
このうちカラオケ装置は、複数種のカラオケ装置中の何れか一つの機種である。
一方、セットトップボックスは、カラオケ装置の特徴部分を撮像した撮像画像を取得可能な撮像画像取得装置と、画像記憶手段と、機種決定手段と、機種記憶手段と、記憶・読み出し制御手段と、を備える。撮像画像取得装置は、カラオケ装置の機種を特定可能な部位を撮像した撮像画像を取得可能である。また、画像記憶手段は、複数種のカラオケ装置の機種と複数種のカラオケ装置それぞれを特定可能な部位を予め撮像した識別用画像とを関連付けて記憶しており、機種記憶手段は、機種決定手段によって決定されたカラオケ装置の機種を記憶する。そして、機種決定手段が、画像記憶手段が記憶する識別用画像を参照して、撮像画像取得手段によって取得された撮像画像と一致する識別用画像を特定し、その特定した識別用画像と関連付けられた複数種のカラオケ装置の機種の何れかをカラオケ装置の機種として決定する。さらに、記憶・読み出し制御手段が、機種記憶手段へのカラオケ装置の機種の記憶・読み出し制御を実行する。
【００１７】
このように構成された本発明のカラオケシステムによれば、画像認識によってカラオケ装置のメーカ名および機種名を特定し、その特定したメーカ名および機種名をセットトップボックスに登録する。このことにより、セットトップボックスによる機能拡張するためのカラオケ装置のメーカ名及び機種名の確認と、セットトップボックスへの登録を自動化できる。
【００１８】
この場合、上述の特定可能部位の具体例としては、（イ）メーカ名・機種名を特定可能な構成であることが考えられる。すなわち、請求項２のように、撮像画像取得手段が、上述の特定可能部位としてのカラオケ装置におけるメーカ名または機種を特定することが可能な構成を撮像した撮像画像を取得可能であることが考えられる。このように構成すれば、デジタルカメラや情報携帯端末、カメラを内蔵するリモコン端末などの撮像手段を用いて、カラオケ装置の機種を特定可能な部位を容易に撮像することができ、カラオケ装置の機種の特定を容易に行うことができる。
【００１９】
また、上述の特定可能部位の具体例としては、（ロ）カラオケ装置が備える筺体の正面パネルの一部であることが考えられる。すなわち、請求項３のように、撮像画像取得手段が、上述の特定可能部位としてのカラオケ装置が備える筺体の正面パネルの一部を撮像した撮像画像を取得可能であることが考えられる。一例を挙げると、正面パネルの正面全体や正面パネルの操作部、正面パネルの機種名やメーカ名のロゴなどが挙げられる。
【００２０】
このように構成すれば、撮像手段を用いて、カラオケ装置が備える筺体の正面パネルの一部を容易に撮像することができ、カラオケ装置の機種の特定を容易に行うことができる。また、例えばカラオケ装置がセットトップボックスの背後などに設置されている場合でも、セットトップボックスの背面に設置されたカメラなどの撮像手段を用いて、カラオケ装置が備える筺体の正面パネルの一部を容易に撮像することができる。
【００２１】
さらに、上述の特定可能部位の具体例としては、（ハ）カラオケ装置が備える筺体の背面パネルの一部であることが考えられる。すなわち、請求項４のように、撮像画像取得手段が、上述の特定可能部位としてのカラオケ装置が備える筺体の背面パネルの一部を撮像した撮像画像を取得可能であることが考えられる。一例を挙げると、背面パネルに取り付けられたコネクタや、端子、シリアル番号、機種名・メーカ名のラベルなどが挙げられる。このように構成すれば、例えばカラオケ装置が備える筺体の正面パネルにカラオケ装置の機種を特定可能な特徴部分が存在しない場合でも、カラオケ装置が備える筺体の背面パネルからカラオケ装置の機種を特定することができる。
【００２２】
また、上述の特定可能部位の具体例としては、（ニ）カラオケ装置が備える表示部の表示画面の一部であることが考えられる。すなわち、請求項５のように、カラオケ装置が、各種情報を表示可能な表示部を備え、撮像画像取得手段が、上述の特定可能部位としてのカラオケ装置が備える表示部に表示された表示画像の一部を撮像した撮像画像を取得可能であることが考えられる。このように構成すれば、例えばカラオケ装置がセットトップボックスの背後などに設置されている場合でも、表示部に表示された表示画面からカラオケ装置の機種を特定するための画面を撮像して、カラオケ装置の機種を特定することができる。
【００２３】
ところで、上述の撮像手段については、外部の構成を利用することが考えられる。この場合、撮像手段の具体例としては、デジタルカメラや情報携帯端末、カメラを内蔵するリモコン端末などが考えられる。撮像した画像データについては、有線でセットトップボックスに送信してもよいし、赤外線通信などを利用して無線でセットトップボックスに送信してもよいし、ＵＳＢメモリなどの記憶装置に記憶し、その記憶装置をセットトップボックスに接続して画像データを取得するようにしてもよい。
【００２４】
また、上述の撮像手段については、カラオケシステムが備えることが考えられる。具体的には、請求項６のように、カラオケ装置の機種を特定可能な部位を撮像画像として撮像可能な撮像手段を備え、セットトップボックスの撮像画像取得装置が、撮像手段によって撮像された撮像画像を取得可能であることが考えられる。この場合も同様に、撮像手段の具体例としては、ＵＳＢメモリ記憶装置が接続可能なＵＳＢ端子付きのデジタルカメラや、デジタルカメラ機能付きの情報携帯端末、などが考えられる。撮像した画像データについては、有線のＵＳＢ接続でセットトップボックスに送信してもよいし、赤外線通信などを利用して無線でセットトップボックスに送信してもよいし、ＵＳＢメモリなどの記憶装置に記憶し、その記憶装置をセットトップボックスのＵＳＢ端子に接続して画像データを取得するようにしてもよい。また、前記記憶装置を情報携帯端末に接続し、情報携帯端末が撮像した画像データを取り込み、情報携帯端末が無線ＬＡＮなどを利用してセットトップボックスに送信して画像データを取得するようにしてもよい。
【００２５】
このように構成すれば、利用者が所有する汎用的な撮像装置によって発明を実施することができる。
なお、セットトップボックスと通信可能なリモコン端末が撮像手段を備えることが考えられる。具体的には、請求項７のように、セットトップボックスとの間でデータ通信可能であり、カラオケ装置に演奏させるべき演奏楽曲をユーザに選曲させ、選曲された演奏楽曲をセットトップボックスを介してカラオケ装置に通知する選曲通知機能を有するリモコン端末を備え、リモコン端末が、カラオケ装置の機種を特定可能な部位を撮像画像として撮像可能な撮像手段を備え、セットトップボックスの撮像画像取得装置が、リモコン端末の撮像手段によって撮像された前記撮像画像を取得可能であることが考えられる。
【００２６】
このように構成すれば、リモコン端末が備える構成を撮像手段として利用することができ、デジタルカメラなどの撮像手段を別途用意する必要がない。
また、セットトップボックスと通信可能な携帯電話などの通信端末が撮像手段を備えることが考えられる。具体的には、請求項８のように、セットトップボックスとの間で通信網を介してデータ通信可能な通信端末を備え、通信端末が、カラオケ装置の機種を特定可能な部位を撮像画像として撮像可能な撮像手段を備え、セットトップボックスの撮像画像取得装置が、通信端末の撮像手段によって撮像された撮像画像を、通信網を介して取得可能であることが考えられる。
【００２７】
このように構成すれば、例えば携帯電話やデジタルカメラといった利用者が普段携帯することが多い装置を、撮像手段として利用することができる。
ところで、例えば、撮像手段によって撮像された撮像画像におけるピントがずれているなど不適切である場合には、カラオケ装置の機種を特定できないことがある。そこで、機種特定できなかった場合にはその旨を知らせることが考えられる。具体的には、請求項９のように、各種情報を報知可能な報知手段と、機種決定手段によってカラオケ装置の機種が決定されなかった場合にはその旨を報知手段に報知させる報知制御手段と、を備えることが考えられる。このように構成すれば、機種特定できなかった場合にはその旨を知らせることで、利用者に注意を喚起するとともに、撮像手段によってカラオケ装置の機種を特定可能な部位を再度撮像することを促すことができる。
【００２８】
ところで、上述のカラオケシステムでは、カラオケシステムが備えるセットトップボックスにてカラオケ装置の機種を決定しているため、カラオケ装置の新機種がリリースされた場合には、その情報をすべてのセットトップボックスに配信して機種情報をアップデートする必要がある。
【００２９】
そこで、カラオケシステムがサーバを備え、そのサーバに撮像結果を送信し、サーバにて画像認識および機種決定するように構成してもよい。
具体的には、請求項１０のように、上述のカラオケシステムは、識別子データに基づいて楽曲のカラオケ演奏可能なカラオケ装置と、カラオケ装置へ識別子データを送信し、カラオケ装置から送信されたカラオケ演奏の音信号を受信するセットトップボックスと、セットトップボックスとの間で通信網を介してデータ通信可能なサーバと、を備える。
【００３０】
このうちカラオケ装置は、複数種のカラオケ装置中の何れか一つの機種である。また、サーバは、カラオケ装置の特徴部分を撮像した撮像画像を取得可能な撮像画像取得装置と、画像記憶手段と、機種決定手段と、を備える。撮像画像取得装置は、カラオケ装置の機種を特定可能な部位を撮像した撮像画像を取得可能である。また、画像記憶手段は、複数種のカラオケ装置の機種と複数種のカラオケ装置それぞれを特定可能な部位を予め撮像した識別用画像とを関連付けて記憶しており、機種記憶手段は、機種決定手段によって決定されたカラオケ装置の機種を記憶する。そして、機種決定手段が、画像記憶手段が記憶する識別用画像を参照して、撮像画像取得手段によって取得された撮像画像と一致する識別用画像を特定し、その特定した識別用画像と関連付けられた複数種のカラオケ装置の機種の何れかをカラオケ装置の機種として決定する。
【００３１】
さらに、セットトップボックスは、機種情報取得手段と、機種記憶手段と、記憶・読み出し制御手段と、を備える。機種情報取得手段は、サーバの機種特定手段によって決定されたカラオケ装置の機種を示す機種情報を取得する。機種記憶手段は、機種情報取得手段によって取得された機種情報に基づいてカラオケ装置の機種を記憶可能であり、記憶・読み出し制御手段が、機種記憶手段へのカラオケ装置の機種の記憶・読み出し制御を実行する。
【００３２】
このように構成すれば、例えばカラオケ装置の新機種がリリースされた場合でも、サーバのみアップデートすればよく、その情報をすべてのセットトップボックスに配信する必要がない。
【００３３】
また、請求項１１に記載のように、例えばＡ社製造のカラオケ装置が使用する音源もしくはＢ社製造のセットトップボックスが使用する音源の何れか一方を選択できるとよい。さらに例えばＡ社製造のカラオケ装置が使用する背景映像もしくはＢ社製造のセットトップボックスが使用する背景映像の何れか一方を選択できるとよい。
【００３４】
すなわち、カラオケシステムは、外部から受信した楽曲の識別子データに基づいてカラオケ演奏可能なカラオケ装置と、カラオケ装置へ前記識別子データを送信し、前記カラオケ装置から出力されたカラオケ演奏の音信号が入力されるセットトップボックスと、を備える。
【００３５】
そして、カラオケ装置は、セットトップボックスから前記識別子データを受信するカラオケ装置側受信手段と、カラオケ装置側受信手段によって受信された前記識別子データ中のカラオケ演奏可能な識別子データに基づいてカラオケ演奏を開始する開始手段（２１２）と、開始手段によって開始されたカラオケ演奏の音信号をセットトップボックスへ出力する音信号出力手段と、開始手段によって開始された映像信号をセットトップボックスへ出力する映像信号出力手段と、を備える複数種のカラオケ装置中の何れか１つの機種である。
【００３６】
また、セットトップボックスは、楽曲番号データに対応した識別子データをカラオケ装置へ送信するセットトップボックス側送信手段と、音信号出力手段から出力されたカラオケ演奏の音信号が入力されるセットトップボックス側音信号入力手段と、映像信号出力手段から出力された映像信号が入力されるセットトップボックス側映像信号入力手段と、カラオケ曲の楽曲データを記憶する楽曲データ記憶手段と、を備える。
【００３７】
さらに、セットトップボックスは、楽曲データ記憶手段が記憶する前記楽曲データからカラオケ演奏の音信号を生成し、生成された音信号を出力するセットトップボックス側音信号出力手段と、楽曲データ記憶手段が記憶する前記楽曲データから映像信号を生成し、生成された映像信号を出力するセットトップボックス側映像信号出力手段と、セットトップボックス側音信号出力手段から出力された音信号もしくはセットトップボックス側音信号入力手段によって入力された音信号の何れか一方を選択して出力する音信号選択手段と、セットトップボックス側映像信号出力手段から出力された映像信号もしくはセットトップボックス側映像信号入力手段によって入力された映像信号の何れか一方を選択して出力する映像信号選択手段と、を備えるとよい。
【００３８】
このように構成された本発明のカラオケシステムによれば、例えばＡ社製造のカラオケ装置が使用する音源もしくはＢ社製造のセットトップボックスが使用する音源の何れか一方を選択できる。さらに例えばＡ社製造のカラオケ装置が使用する背景映像もしくはＢ社製造のセットトップボックスが使用する背景映像の何れか一方を選択できる。したがって
、カラオケ歌唱者、特にカラオケ歌唱の熟練者にとっては、自分好みの音源をや映像を用いてカラオケ歌唱を楽しむことができる。
【００３９】
また、請求項１２に記載のように、例えばＡ社製造のカラオケ装置へＢ社が使用する音源と背景映像を用いたカラオケ演奏可能なＢ社製造のセットトップボックスを付加できるように、セットトップボックス単体として構成されるとよい。
【００４０】
すなわち、請求項１１のいずれかに記載のカラオケシステムに用いられるセットトップボックスであって、請求項１２においてセットトップボックスに関して記載した構成を備えるとよい。
【００４１】
このように構成された本発明のセットトップボックスによれば、例えばＡ社製造のカラオケ装置へＢ社が使用する音源と背景映像を用いたカラオケ演奏可能なＢ社製造のセットトップボックスを付加することで、Ａ社製造のカラオケ装置が設置されたカラオケボックスであってもＢ社のカラオケ歌唱を楽しめるようになる。
【発明を実施するための最良の形態】
【００４２】
以下に本発明の実施形態を図面とともに説明する。
［第一実施形態］
図１は、本実施例のカラオケシステム１の構成及び稼働時の周辺機器の構成を示すブロック図である。
【００４３】
［カラオケシステム１の構成及び周辺機器の構成の説明］
複数のカラオケシステム１とそれら複数のカラオケシステム１を管理するローカルサーバ２とは、図１に示すように、カラオケボックス内ＬＡＮ３へ接続されている。また、カラオケボックス内ＬＡＮ３はＬＡＮハブ装置４へ接続されている。そして、複数のカラオケシステム１とローカルサーバ２とは、このＬＡＮハブ装置４、ブロードバンドルータ５、ＡＤＳＬモデム６及び高速通信回線７を介して中央サーバ８との通信ができるように構成されている。
【００４４】
［カラオケシステム１の構成の説明］
カラオケシステム１は、図１に示すように、カラオケボックス内ＬＡＮ３へ接続されているセットトップボックス１０、このセットトップボックス１０へ接続されているカラオケ装置２０とオーディオアンプ３０とモニタ５０、このオーディオアンプ３０へ接続されている２つのスピーカ４０、セットトップボックス１０へ赤外線信号を送信するリモコン端末１５などを備えている。
【００４５】
なお、カラオケ装置２０は複数種のカラオケ装置中の１つの機種である。複数種のカラオケ装置とは、カラオケ装置の製造メーカや機種によってカラオケ装置側のリモコン信号コードの体系がそれぞれ相違しているカラオケ装置を指す。
【００４６】
以下カラオケ装置２０、セットトップボックス１０及びリモコン端末１５の構成を、順に説明する。
［カラオケ装置２０の構成の説明］
カラオケ装置２０は、図２に示すように、セットトップボックス１０から、もしくはリモコン端末１５より第１リモコン信号を受信したセットトップボックス１０から有線にて送信され第２リモコン信号を受信するリモコン信号受信部２２０、リモコン信号受信部２２０によって受信された第２リモコン信号に基づいてカラオケ演奏を制御するカラオケ制御部２１２、図示されないハードディスクに記憶された識別子データ例えば選曲番号データを有する楽曲データから演奏楽曲の音信号（音響，音声に関する信号）を生成し、生成された音信号を出力するカラオケ音声出力部２２６、前記楽曲データから映像信号を生成し、生成された映像信号を出力するカラオケ映像出力部２３０などを備えている。なお、上記では、リモコン信号受信部２２０はセットトップボックス１０から有線にて第２リモコン信号を受信したが、これには限らない。リモコン信号受信部２２０はセットトップボックス１０から赤外線通信のような無線にて第２リモコン信号を受信してもよい。
【００４７】
なお、リモコン信号受信部２２０は、カラオケ装置側受信手段に該当する。また、カラオケ制御部２１２は、開始手段に該当する。また、カラオケ音声出力部２２６は、音信号出力手段に該当する。また、カラオケ映像出力部２３０は、映像信号出力手段に該当する。
【００４８】
［セットトップボックス１０の構成の説明］
セットトップボックス１０は、図２に示すように、セットトップボックス１０全体の動作を制御する制御部１１２、セットトップボックス１０をカラオケボックス内ＬＡＮ３へ接続するためのＬＡＮインタフェース部１１４、演奏楽曲の伴奏内容および歌詞を示す楽曲データや映像データなどを記憶するハードディスク（ＨＤＤ）１１６、複数のキー・スイッチからなる操作部１１８、リモコン端末１５からの第１リモコン信号を赤外線通信によって受信するための赤外リモコン信号受信部１２３、操作部１１８からの信号を処理する操作処理部１２２、ハードディスク１１６に記憶された楽曲データから演奏楽曲の音信号（音響，音声に関する信号）を生成し、生成された音信号を出力する音声出力部１２６、カラオケ装置２０から出力された音信号が入力される音声信号入力部１３０、音声出力部１２６から出力された音信号もしくは音声信号入力部１３０を介して入力された音信号の何れか一方を選択しオーディオアンプ３０へ出力するセレクタ１２８、音声信号入力部１３０を介してカラオケ演奏の音信号が入力されたか否かを判断する入力検出部１２４、ハードディスク１１６に記憶された楽曲データから映像信号を生成し、生成された映像信号を出力する映像出力部１３２、カラオケ装置２０から出力された映像信号を入力する映像信号入力部１３６、映像出力部１３２から出力された映像信号もしくは映像信号入力部１３６によって入力された映像信号の何れか一方を選択しモニタ５０へ出力するセレクタ１３４、第２リモコン信号をセットトップボックス１０からカラオケ装置２０へ有線にて送信するリモコン信号送信部１４０などを備えている。なお、リモコン信号送信部１４０はセットトップボックス１０からカラオケ装置２０へ有線にてリモコン信号を受信したが、これには限らない。リモコン信号送信部１４０はセットトップボックス１０からカラオケ装置２０へ赤外線通信のような無線にてリモコン信号を送信してもよい。また、制御部１１２は、後述する機種決定処理を実行する。
【００４９】
また、ＨＤＤ１１６には、図３（ａ）に例示するように、機種データを記憶するためのメモリ領域６２が設けられている。なお、機種データとは、後述する機種決定処理によって決定されたカラオケ装置２０の機種を示すデータを指す。
【００５０】
そして、カラオケ装置の機種（Ａ〜Ｎ）を示す機種データは、図３（ｂ）、図３（ｃ）に例示するように、機種データのメモリ領域６２へ制御部１１２によって記憶される。一例を挙げると、カラオケ装置の機種（Ａ）を示すデータは、機種データのメモリ領域６２へ制御部１１２によって記憶される。一例を挙げると、ファイル「１」は、機種Ａであるカラオケ装置の筺体の正面パネルを撮像した画像データであるといった具合である（図３（ｃ）参照）。
【００５１】
また、ＨＤＤ１１６には、図５に例示するように、リモコン端末制御信号テーブルが記憶されている。このリモコン端末制御信号テーブルは、リモコン端末１５が備える操作部１５２のキーと指示内容とを関連付けたテーブルを云い、カラオケ装置の機種ごとに用意されている。
【００５２】
なお、制御部１１２は、撮像画像取得装置、機種決定手段および記憶・読み出し制御手段に該当する。また、ＨＤＤ１１６は、画像記憶手段および機種記憶手段に該当する。
また、リモコン信号送信部１４０は、セットトップボックス側送信手段に該当する。また、音声信号入力部１３０は、セットトップボックス側音信号入力手段に該当する。また、映像信号入力部１３６は、セットトップボックス側映像信号入力手段に該当する。また、ＨＤＤ１１６は、楽曲データ記憶手段に該当する。また、音声出力部１２６は、セットトップボックス側音信号出力手段に該当する。また、映像出力部１３２は、セットトップボックス側映像信号出力手段に該当する。また、セレクタ１２８は、音信号選択手段に該当する。また、セレクタ１３４は、映像信号選択手段に該当する。
【００５３】
［リモコン端末１５の構成の説明］
リモコン端末１５は、複数のキー・スイッチからなるリモコン操作部１５２、例えばカラオケ装置２０の特徴部分である正面パネルなどを撮像可能なカメラ１５６、リモコン端末１５から第１リモコン信号をセットトップボックス１０へ送信する赤外リモコン信号送信部１５４などを備えている。なお、カメラ１５６は撮像手段に該当する。
【００５４】
［機種決定処理（１）の説明］
以下に、セットトップボックス１０が備える制御部１１２が実行する機種決定処理（１）の手順を図４のフローチャートに基づいて説明する。この機種決定処理は、セットトップボックス１０がカラオケボックスに設置された直後の設定時などの最初に起動した場合に実行される。
【００５５】
まず、リモコン端末１５のカメラ１５６によって撮像された、セットトップボックス１０に接続されているカラオケ装置２０の特徴部分（本実施形態では筺体の正面パネル（図示省略））の画像データを受信するまで待機し、画像データを受信したら（Ｓ３０５）、その受信した画像データについて次のように画像認識を行う（Ｓ３１０〜Ｓ３２０）。ＨＤＤ１１６が記憶する機種データを参照して、その受信した画像がカラオケ装置の機種Ａを示す画像データと一致するか否かを判断する（Ｓ３１０）。受信した画像がカラオケ装置の機種Ａを示す画像データと一致したと判断された場合には（Ｓ３１０：ＹＥＳ）、セットトップボックス１０に接続されているカラオケ装置２０の画像データが適切に検出されたと判断してＳ３３０に移行する。一方、受信した画像がカラオケ装置の機種Ａを示す画像データと一致しないと判断された場合には（Ｓ３１０：ＮＯ）、ＨＤＤ１１６が記憶する機種データを参照して、その受信した画像がカラオケ装置の機種Ｂを示す画像データと一致するか否かを判断する（Ｓ３１５）。受信した画像がカラオケ装置の機種Ｂを示す画像データと一致したと判断された場合には（Ｓ３１５：ＹＥＳ）、セットトップボックス１０に接続されているカラオケ装置２０の画像データが適切に検出されたと判断してＳ３３０に移行する。一方、受信した画像がカラオケ装置の機種Ｂを示す画像データと一致しないと判断された場合には（Ｓ３１５：ＮＯ）、ＨＤＤ１１６が記憶する機種データを参照して、その受信した画像がカラオケ装置の機種Ｃを示す画像データと一致するか否かを判断する（Ｓ３２０）。受信した画像がカラオケ装置の機種Ｃを示す画像データと一致したと判断された場合には（Ｓ３２０：ＹＥＳ）、セットトップボックス１０に接続されているカラオケ装置２０の画像データが適切に検出されたと判断してＳ３３０に移行する。一方、受信した画像がカラオケ装置の機種Ｃを示す画像データと一致しないと判断された場合には（Ｓ３２０：ＮＯ）、セットトップボックス１０に接続されているカラオケ装置２０の画像データが適切に検出されなかったと判断してＳ３０５に戻る。
【００５６】
なお、上述の画像認識手法については、公知技術に従うが、本実施形態では次のような画像認識手法を用いる。すなわち、受信した画像データについて画像認識を繰り返し実行し、処理周期で画像認識された物体について、次の処理周期時における位置を推定し、その推定位置および誤差範囲に基づいて、画像の切り出し範囲を決定する。そして、その切り出された画像部分に関してのみ、物体認識処理を行う。このことにより、各周期においてすべての画像領域に関して物体認識処理を行う必要がない。したがって、物体認識処理が効率的且つ高速にて行うことができる。
【００５７】
上述のように、受信した画像データについて画像認識を行った結果、セットトップボックス１０に接続されているカラオケ装置２０の画像データが適切に検出されたと判断した場合には、その受信した画像データに基づいてカラオケ装置２０の機種を照合する（Ｓ３３０）。具体的には、ＨＤＤ１１６が記憶する機種データを参照して、受信した画像が一致する画像データに関連付けられた機種名を、カラオケ装置２０の機種として決定する。
【００５８】
続いて、先に決定した前記カラオケ装置２０の機種（例えば、機種Ａ）における機能の種類（例えば、再生、停止、曲番号指定）毎に、前記機能の動作を指示する第２リモコン信号の種類（例えば、信号Ａ１、Ａ２、Ａ３）をそれぞれ対応付けたリモコン端末制御信号テーブル（カラオケ装置機種Ａ）を選択する（Ｓ３５０）。なお、上述のリモコン端末制御信号テーブルとは、リモコン端末１５が備えるリモコン操作部１５２のキーと指示内容とを関連付けたテーブルを云い、カラオケ装置の機種ごとに用意されている（図５参照）。また、機種決定処理によるカラオケ装置２０の機種決定（例えば、機種Ａ）後に、リモコン端末１５の操作部１５２から第１リモコン信号を介して制御部１１２に対して機能の動作（例えば、再生）を指示すれば、制御部１１２が、先のＳ３５０で選択されたリモコン端末制御テーブル（例えば、機種Ａ）を参照し、セットトップボックス１０に接続されたカラオケ装置２０への指示内容（例えば、再生）に対応した第２リモコン信号（例えば、信号Ａ１）をカラオケ装置２０へ送信する。よって、リモコン端末１５はカラオケ装置２０へ機能の動作を指示することができる。
【００５９】
［効果］
（１）このように第一実施形態のカラオケシステム１によれば、次のような作用効果を奏する。すなわち、セットトップボックス１０の制御部１１２が、リモコン端末１５のカメラ１５６によって撮像されたカラオケ装置２０の特徴部分の画像データを取得し、ＨＤＤ１１６が記憶する機種データ（識別用画像）を参照して、取得した画像データと一致する機種データを特定し、その特定した機種データと関連付けられたカラオケ装置の機種の何れかをカラオケ装置２０の機種として決定する。さらに、制御部１１２が、ＨＤＤ１１６へのカラオケ装置２０の機種の記憶・読み出し制御を実行する。つまり、画像認識によってカラオケ装置２０のメーカ名および機種名を特定し、その特定したメーカ名および機種名をセットトップボックス１０に登録する。このことにより、セットトップボックス１０による機能拡張するためのカラオケ装置２０のメーカ名及び機種名の確認と、セットトップボックス１０への登録を自動化できる。
【００６０】
また、リモコン端末１５が備える構成であるカメラ１５６を撮像手段として利用することができ、デジタルカメラなどの撮像手段を別途用意する必要がない。
（２）また、第一実施形態のカラオケシステム１によれば、制御部１１２が、カラオケ装置２０の機種を特定する可能な部位としてのカラオケ装置の筺体の正面パネルの一部をリモコン端末１５のカメラ１５６が撮像した画像データを取得可能である。このことにより、カラオケ装置２０が備える筺体の正面パネルの一部を容易に撮像することができ、カラオケ装置２０の機種の特定を容易に行うことができる。
【００６１】
（３）また、第一実施形態のカラオケシステム１によれば、セレクタ１２８によって例えばＡ社製造のカラオケ装置が使用する音源もしくはＢ社製造のセットトップボックスが使用する音源の何れか一方を選択できる。さらに、セレクタ１３４によって例えばＡ社製造のカラオケ装置が使用する背景映像もしくはＢ社製造のセットトップボックスが使用する背景映像の何れか一方を選択できる。したがって、カラオケ歌唱者、特にカラオケ歌唱の熟練者にとっては、自分好みの音源をや映像を用いてカラオケ歌唱を楽しむことができる。
【００６２】
（４）また、第一実施形態のセットトップボックス２０によれば、例えばＡ社製造のカラオケ装置へＢ社が使用する音源と背景映像を用いたカラオケ演奏可能なＢ社製造のセットトップボックスを付加することで、Ａ社製造のカラオケ装置が設置されたカラオケボックスであってもＢ社のカラオケ歌唱を楽しめるようになる。
【００６３】
［他の実施形態］
以上、本発明の一実施形態について説明したが、本発明は上記実施形態に限定されるものではなく、以下のような様々な態様にて実施することが可能である。
【００６４】
（１）上記実施形態では、制御部１１２が、カラオケ装置２０の機種を特定する可能な部位としてのカラオケ装置の筺体の正面パネルの一部をリモコン端末１５のカメラ１５６が撮像した画像データを取得可能であるが、これには限られず、カラオケ装置２０の機種が特定可能な部位であれば他の部位を撮像した画像データを用いてもよい。一例を挙げると、カラオケ装置２０の筺体の背面パネルに取り付けられたコネクタや、端子、シリアル番号、機種名・メーカ名のラベル、表示部５０に表示された表示画像の一部などである。このようにすれば、例えばカラオケ装置２０が備える筺体の正面パネルにカラオケ装置２０の機種を特定可能な特徴部分が存在しない場合でも、カラオケ装置２０が備える筺体の背面パネルからカラオケ装置の機種を特定することができる。
【００６５】
（２）また、カラオケ装置２０の筺体の正面パネルの一部として、正面パネルの正面全体や正面パネルの操作部、正面パネルの機種名やメーカ名のロゴなどを撮像してもよい。
（３）また、リモコン端末１５のカメラ１５６の代わりに、外部の撮像手段を利用してもよい。一例を挙げると、デジタルカメラや情報携帯端末などである。撮像した画像データについては、有線でセットトップボックス１０に送信してもよいし、赤外線通信などを利用して無線でセットトップボックス１０に送信してもよいし、ＵＳＢメモリなどの記憶装置に記憶し、その記憶装置をセットトップボックス１０に接続して画像データを取得するようにしてもよい。
【００６６】
（４）また、カラオケシステム１が、ＵＳＢメモリ記憶装置が接続可能なＵＳＢ端子付きのデジタルカメラや、デジタルカメラ機能付きの情報携帯端末などの撮像手段をシステムの一部として備えるようにしてもよい。撮像した画像データについては、有線のＵＳＢ接続でセットトップボックスに送信してもよいし、赤外線通信などを利用して無線でセットトップボックスに送信してもよいし、ＵＳＢメモリなどの記憶装置に記憶し、その記憶装置をセットトップボックスのＵＳＢ端子に接続して画像データを取得するようにしてもよい。また、記憶装置を情報携帯端末に接続し、情報携帯端末が撮像した画像データを取り込み、情報携帯端末が無線ＬＡＮなどを利用してセットトップボックスに送信して画像データを取得するようにしてもよい。このようにすれば、利用者が所有する汎用的な撮像装置によって発明を実施することができる。
【００６７】
（５）、カラオケシステム１が、セットトップボックス１０と通信可能な携帯電話などの通信端末を、システムの一部として備えるようにしてもよい。具体的には、カラオケシステム１が、セットトップボックス１０との間で通信網を介してデータ通信可能な通信端末を備え、通信端末が、カラオケ装置２０の機種を特定可能な部位を撮像画像として撮像可能な撮像手段を備え、セットトップボックス１０の制御部１１２が、通信端末の撮像手段によって撮像された撮像画像を、インターネットなどの通信網を介して取得する。このようにすれば、例えば携帯電話やデジタルカメラといった利用者が普段携帯することが多い装置を、撮像手段として利用することができる。
【００６８】
（６）また、上述の機種決定処理における画像認識時において（Ｓ３１０〜Ｓ３２０）、受信した画像データについて、セットトップボックス１０に接続されているカラオケ装置２０の画像データが適切に検出されなかったと判断された場合には、その旨を表示部５０に表示させることなどでユーザに報知するようにしてもよい。なお、モニタ５０が報知手段に該当し、制御部１１２が報知制御手段に該当する。このようにすれば、カラオケ装置２０の機種を特定できなかった場合にはその旨を知らせることで、利用者に注意を喚起するとともに、撮像手段によってカラオケ装置２０の機種を特定可能な部位を再度撮像することを促すことができる。
【００６９】
（７）また、カラオケシステム１がサーバ８を備え、そのサーバ８に撮像結果を送信し、サーバにて画像認識および機種決定するように構成してもよい。具体的には、サーバ８の制御部（図示省略）が、リモコン端末１５のカメラ１５６やカメラ付き携帯電話のカメラなどによって撮像されたカラオケ装置２０の特徴部分の画像データをインターネット通信網などを介して取得し、記憶する機種データ（識別用画像）を参照して、取得した画像データと一致する機種データを特定し、その特定した機種データと関連付けられたカラオケ装置の機種の何れかをカラオケ装置２０の機種として決定する。さらに、サーバが、その決定したカラオケ装置２０の機種に関する情報をセットトップボックス１０に対して送信する。セットトップボックス１０では、その決定したカラオケ装置２０の機種に関する情報を受信し、その受信した情報に基づき、制御部１１２が、ＨＤＤ１１６へのカラオケ装置２０の機種の記憶・読み出し制御を実行する。
【００７０】
なおこの場合、サーバ８は、撮像画像取得装置、画像記憶手段、機種決定手段に該当する。また、セットトップボックス１０は、機種情報取得手段、機種記憶手段、記憶・読み出し制御手段に該当する。
【００７１】
このようにすれば、例えばカラオケ装置の新機種がリリースされた場合でも、サーバのみアップデートすればよく、その情報をすべてのセットトップボックスに配信する必要がない。
【００７２】
（８）また、公知の画像認識手法は認識精度の高精度化に応じて認識するまでの時間が長くなる場合が多いので、次のようにしてもよい。すなわち、上述の機種決定処理（１）におけるＳ３１０からＳ３３０までの処理をセットトップボックスの制御部１１２で処理するのではなく、Ｓ３０５を実行した際の出力である画像データを、セットトップボックス１０からサーバ８へ送信し、上述のＳ３１０からＳ３３０までの処理を、セットトップボックス１０の制御部１１２より高速処理可能なサーバ８の制御部（図示省略）で行い、機種照合の結果を、セットトップボックス１０の制御部１１２へ通知し、前記結果をＳ３５０の入力として、システムで機種照合するようにしてもよい。このようにすれば、セットトップボックス１０だけで機種照合するよりも短時間で照合することもできる。
【００７３】
（９）上記実施形態では、セットトップボックス１０の制御部１１２が実行する上述の機種決定処理（１）におけるＳ３２０において、画像データが全て一致しなかった場合には（Ｓ３２０：Ｎｏ）Ｓ３０５に移行するが、これには限られず、画像データが全て一致しなかった旨をエラーとして画像データとともにサーバ８に通知し、サーバ８では、前記エラー受信時のみ画像データも受信して、機種決定処理（１）におけるＳ３１０からＳ３３０までの処理を、セットトップボックス１０の制御部１１２より高精度処理が可能なサーバ８の制御部（図示省略）で行い、その機種照合結果をセットトップボックス１０の制御部１１２へ通知し、前記結果をＳ３５０の入力として、システムで機種照合するようにしてもよい。このようにすれば、セットトップボックス１０だけで機種照合する場合よりも、画像認識ができない可能性を少なくし、かつ前記エラー発生時のみサーバ８で処理するためにサーバ８の処理負荷も軽くすることもできる。
【００７４】
（１０）上記実施形態では、カラオケシステム１が、第１リモコン信号をセットトップボックス１０へ送信可能なリモコン端末１５を備えており、セットトップボックス１０が、リモコン端末１５からの第１リモコン信号を赤外線通信によって受信可能であるが、これには限られず、リモコン端末１５の代わりに、外部と互いにデータ通信可能な電子早見本などのリモコン端末５５０を備えるようにしてもよい。
【００７５】
［リモコン端末５５０の構成の説明］
リモコン端末５５０は、セットトップボックス１０とデータ通信可能であり、リモコン端末５５０全体の動作を制御する制御部５５２、セットトップボックス１０に赤外線信号を赤外線通信によって送信する赤外線通信部５５４、各種情報を記憶するメモリ５５６、表示部５５８の表示領域に沿って設置されるタッチパネルおよび複数のキー・スイッチからなる操作部５６０、操作部５６０からの信号を処理する操作処理部５６２、映像情報を一時的に記憶するビデオＲＡＭ５６４、ビデオＲＡＭ５６４に記憶された映像情報の表示部５５８での表示を制御する映像制御部５６６、カラオケボックス内ＬＡＮ３に接続された無線アクセスポイント５０９との間で無線ＬＡＮ規格（例えば、ＩＥＥＥ８０２．１１ａ／ｂ／ｇ規格，ＨｏｍｅＲＦ規格，Ｂｌｕｅｔｏｏｔｈ規格など）に従った無線通信を行うための無線ＬＡＮ通信部５６８、などを備えている。
【００７６】
［機種決定処理（２）の説明］
以下に、セットトップボックス１０が備える制御部１１２が実行する機種決定処理（２）の手順を図７のフローチャートに基づいて説明する。この機種決定処理は、セットトップボックス１０がカラオケボックスに設置された直後の設定時などの最初に起動した場合に実行される。
【００７７】
まず、リモコン端末５５０のカメラ５７０によって撮像された、セットトップボックス１０に接続されているカラオケ装置２０の特徴部分（本実施形態では筺体の正面パネル（図示省略））の画像データを受信するまで待機し、画像データを受信したら（Ｓ４０５）、その受信した画像データについて次のように画像認識を行う（Ｓ３１０〜Ｓ３２０）。なお、本機種決定処理（２）における画像認識処理（Ｓ３１０〜Ｓ３２０）については、上述の機種決定処理（１）における画像認識処理（Ｓ３１０〜Ｓ３２０）と同一の処理であるため、ここではその詳細な説明は省略する。
【００７８】
上述のように、受信した画像データについて画像認識を行った結果、セットトップボックス１０に接続されているカラオケ装置２０の画像データが適切に検出されたと判断した場合には、その受信した画像データに基づいてカラオケ装置２０の機種を照合する（Ｓ３３０）。具体的には、ＨＤＤ１１６が記憶する機種データを参照して、受信した画像が一致する画像データに関連付けられた機種名を、カラオケ装置２０の機種として決定する。
先に決定したカラオケ装置２０の機種の機種データをＨＤＤ１１６から読み出して、その読み出した機種データを、カラオケボックス内ＬＡＮ３、無線アクセスポイント５０９および無線ＬＡＮ通信部５６８を介して、リモコン端末５５０の制御部５５２に送信する（Ｓ４３５）。そして、その読み出した機種データを、ＨＤＤ１１６における機種データのメモリ領域６２へ記憶させることで、セットトップボックス１０におけるリモコン端末５５０の機種の設定内容を先に決定したカラオケ装置２０の機種に変更する（Ｓ４４０）。
【００７９】
一方、リモコン端末５５０では、制御部５５２が、受信した機種データをメモリ５５６に記憶し、当該リモコン端末５５０の機種の設定内容を、先に決定したカラオケ装置２０の機種に変更する（Ｓ４４５）。具体的には、制御部５５２は、先に決定したカラオケ装置２０の機種に対応する機種データをメモリ５５６から読み出して、表示部５５８および操作部５６０に対応する機種を変更する。
【００８０】
続いて、先に決定した前記カラオケ装置２０の機種（例えば、機種Ａ）における機能の種類（例えば、再生、停止、曲番号指定）毎に、前記機能の動作を指示する第２リモコン信号の種類（例えば、信号Ａ１、Ａ２、Ａ３）をそれぞれ対応付けたリモコン端末制御信号テーブル（カラオケ装置機種Ａ）を選択する（Ｓ４５０）。なお、上述のリモコン端末制御信号テーブルとは、リモコン端末５５０が備える操作部５６０のキーと指示内容とを関連付けたテーブルを云い、カラオケ装置の機種ごとに用意されている（図５参照）。また、機種決定処理によるカラオケ装置２０の機種決定（例えば、機種Ａ）後に、リモコン端末５５０の操作部５６０から第１リモコン信号を介して制御部１１２に対して機能の動作（例えば、再生）を指示すれば、制御部１１２が、先のＳ４５０で選択されたリモコン端末制御テーブル（例えば、機種Ａ）を参照し、セットトップボックス１０に接続されたカラオケ装置２０への指示内容（例えば、再生）に対応した第２リモコン信号（例えば、信号Ａ１）をカラオケ装置２０へ送信する。よって、リモコン端末５５０はカラオケ装置２０へ機能の動作を指示することができる。
【００８１】
そして、本処理を終了する。
このように構成しても上記実施形態と同様の作用効果を奏する。
【図面の簡単な説明】
【００８２】
【図１】カラオケシステム１の構成及び稼働時の周辺機器の構成を示すブロック図である。
【図２】カラオケシステム１の全体構成を示すブロック図である。
【図３】セットトップボックス１０が備えるＨＤＤ１１６に設けられたメモリ領域を示す説明図である。
【図４】セットトップボックス１０が備える制御部１１２が実行する機種決定処理（１）の手順を示すフローチャートである。
【図５】リモコン端末制御信号テーブルを示す説明図である。
【図６】セットトップボックス１０およびリモコン端末５５０の全体構成を示すブロック図である。
【図７】セットトップボックス１０が備える制御部１１２が実行する機種決定処理（２）の手順を示すフローチャートである。
【符号の説明】
【００８３】
１…カラオケシステム、２…ローカルサーバ、３…カラオケボックス内ＬＡＮ、
４…ＬＡＮハブ装置、５…ブロードバンドルータ、６…ＡＤＳＬモデム、
７…高速通信回線、８…中央サーバ、１０…セットトップボックス、
１５…リモコン端末、２０…カラオケ装置、３０…オーディオアンプ、
４０…スピーカ、５０…モニタ、６２…機種データのメモリ領域、１１２…制御部、
１１４…ＬＡＮインタフェース部、１１６…ハードディスク（ＨＤＤ）、
１１８…操作部、１２２…操作処理部、１２３…赤外リモコン信号受信部、
１２４…入力検出部、１２６…音声出力部、１２８…セレクタ、
１３０…音声信号入力部、１３２…映像出力部、１３４…セレクタ、
１３６…映像信号入力部、１４０…リモコン信号送信部、１５２…リモコン操作部、
１５４…赤外リモコン信号送信部、１５６…カメラ、２１２…カラオケ制御部、
２２０…リモコン信号受信部、２２６…カラオケ音声出力部、
２３０…カラオケ映像出力部、５０９…無線アクセスポイント、５５０…リモコン端末、
５５２…制御部、５５４…赤外線通信部、５５６…メモリ、５５８…表示部、
５６０…操作部、５６２…操作処理部、５６４…ビデオＲＡＭ、５６６…映像制御部、
５６８…無線ＬＡＮ通信部、５７０…カメラ
【図１】
2007178604.tif 000003
【図２】
2007178604.tif 000004
【図３】
2007178604.tif 000005
【図４】
2007178604.tif 000006
【図５】
2007178604.tif 000007
【図６】
2007178604.tif 000008
【図７】
2007178604.tif 000009